(57)【要約】【課題】電子黒板に表示される表示内容を編集しやすくする。【解決手段】電子黒板１００は、表示部１と検出部１１と情報処理部１０１とスイッチＳとを備える。情報処理部１０１のメモリには、画像データを記憶する複数の画像記憶領域Ｖが確保される。スイッチＳは、個々の画像記憶領域Ｖに対応して設けられ、スイッチＳでの設定によって、画像記憶領域Ｖへの画像データの書き込みの許可／禁止が、画像記憶領域Ｖごとに設定される。情報処理部１０１は、検出部１１が検出した表示部１の情報面上の一点を指示する指示物体の検出位置を基に、その指示点の座標を算出する。座標情報に基づく画像データの書き込みは、許可モードに設定されている画像記憶領域Ｖに対してのみ行われる。表示部１の情報面には、複数の画像記憶領域Ｖそれぞれに記憶されている画像データが合成されて表示される。【選択図】図１３
2008230128.tif 000002
【特許請求の範囲】
【請求項１】
情報を表示する二次元構成の情報面を備える表示部と、
情報を入力する入力部と、
前記情報面に一致した二次元の情報入力領域を指示する指示物体の指示点を検出する検出部と、
画像データを記憶可能なメモリを備え、情報処理を実行する情報処理部と、
前記情報処理部が、前記入力部による入力操作に基づいて複数層の画面ごとに画像データの書込処理を許可する許可モードと当該書込処理を禁止する禁止モードとを選択的に設定する手段と、
前記情報処理部が、前記検出部が検出した前記指示点の座標を座標情報として算出する処理を実行する手段と、
前記情報処理部が、前記算出された座標情報に基づく画像データを、前記許可モードに設定されている層の画面の画像データとして前記メモリに書き込む処理を実行する手段と、
前記情報処理部が、前記個々の層の画面の画像データを合成して前記表示部の情報面に表示させる処理を実行する手段と、
を備える電子黒板。
【請求項２】
前記情報処理部は、複数層の画面のそれぞれに対応する画像記憶領域を備える、
請求項１記載の電子黒板。
【請求項３】
外部機器をデータ送受信可能に接続するインターフェイスと、
前記情報処理部が、前記インターフェイスを介して前記外部機器から画像データを読み込んで前記複数層の画面のうち一の層の画面の画像データとして前記メモリに記憶する処理を実行する手段と、
を備える請求項１または２記載の電子黒板。
【請求項４】
前記情報処理部が、前記算出された異なる２つの座標情報が入力されると、前記情報入力領域のうち当該２つの座標情報が示すそれぞれの座標から水平および垂直に線をそれぞれを交差するまで伸ばして囲われる一部領域を対象範囲として設定する処理を実行する手段と、
前記算出された２つの座標情報が示す２つの座標の一方を始点、他方を終点とし、当該始点から当該終点へ向かうベクトルを移動ベクトルとして求める手段と、
前記情報処理部が、前記許可モードに設定されている層の画面ごとに、当該層の画面の画像データのうち前記対象範囲内に存在する画像データを前記移動ベクトルに従って移動させる処理を実行する手段と、
を備える請求項１から３のいずれか一に記載の電子黒板。
【請求項５】
前記情報処理部が、前記算出された異なる２つの座標情報が入力されると、前記情報入力領域のうち当該２つの座標情報が示すそれぞれの座標から水平および垂直に線をそれぞれを交差するまで伸ばして囲われる一部領域を対象範囲として設定する処理を実行する手段と、
前記算出された２つの座標情報が示す２つの座標の一方を第１の点、他方を第２の点とし、所定の基準点から当該第１の点に向かうベクトルの成分と、当該基準点から当該第２の点に向かうベクトルの成分とを比較して拡大率を求める手段と、
前記情報処理部が、前記許可モードに設定されている層の画面ごとに、当該層の画面の画像データのうち前記対象範囲内に存在する画像データを前記基準点および前記拡大率に従って拡大／縮小する処理を実行する手段と、
を備える請求項１から３のいずれか一に記載の電子黒板。
【発明の詳細な説明】
【技術分野】
【０００１】
本発明は、電子ペーパーを表示面として用いた電子黒板に関する。
【背景技術】
【０００２】
従来、文字や図形を書き込むボード面として電子ペーパーなどの表示メモリー性を持つ電気泳動方式による表示装置を用い、ボード面上の座標や移動軌跡を入力するペン型の入力装置から入力された座標情報に基づいて、描画内容を表示装置に表示させる電子黒板が提案されている（例えば、特許文献１）。さらに、このような電子黒板に、外部機器を接続するインターフェイスを設けることによって、インターフェイスを介して外部機器から読み込んだ表示データを表示装置に表示させることも提案されている（特許文献１の段落番号００２３参照）。
【０００３】
このような電子黒板を使用すると、パーソナルコンピュータなどの外部機器から表示データを読み込んでボード面に表示し、ペン型の入力装置を用いてボード面上に表示データに手作業で数字、文字、記号などの書き込みを行って、会議の能率を向上させたり、効果的なプレゼンテーションを行ったりすることができる。
【０００４】
【特許文献１】特開２００５−０４９７０４公報
【発明の開示】
【発明が解決しようとする課題】
【０００５】
特許文献１に開示されている電子黒板の発明では、インターフェイスから読み込まれた表示データを表示したボード面にデータの書き込みを行うと、外部機器から読み込まれた表示データに手作業で書き込まれたデータが上書きされて合成された上でボード面に表示される。それゆえに、手作業で書き込んだデータを修正する場合、手作業で書き込んだデータのみならず、インターフェイスから読み込まれた表示データにも修正が反映されてしまう。そのため、外部機器から読み込まれた表示データを残したまま手作業で書き込んだデータのみを修正するというようなきめ細やかな表示内容の編集作業が行いにくく、使い勝手が悪い。
【０００６】
本発明の目的は、電子黒板に表示される表示内容を編集しやすくすることである。
【課題を解決するための手段】
【０００７】
本発明の電子黒板は、情報を表示する二次元構成の情報面を備える表示部と、情報を入力する入力部と、前記情報面に一致した二次元の情報入力領域を指示する指示物体の指示点を検出する検出部と、画像データを記憶可能なメモリを備え、情報処理を実行する情報処理部と、前記情報処理部が、前記入力部による入力操作に基づいて複数層の画面ごとに画像データの書込処理を許可する許可モードと当該書込処理を禁止する禁止モードとを選択的に設定する手段と、前記情報処理部が、前記検出部が検出した前記指示点の座標を座標情報として算出する処理を実行する手段と、前記情報処理部が、前記算出された座標情報に基づく画像データを、前記許可モードに設定されている層の画面の画像データとして前記メモリに書き込む処理を実行する手段と、前記情報処理部が、前記個々の層の画面の画像データを合成して前記表示部の情報面に表示させる処理を実行する手段と、を備える。
【発明の効果】
【０００８】
本発明によれば、複数層の画面ごとに画像データの書き込みを許可する許可モードまたは書き込みを禁止する禁止モードのいずれか一のモードが設定され、情報処理部が算出した指示物体の指示点の座標情報に基づいて、許可モードに設定されている層の画面の画像データとして画像データがメモリに書き込まれるため、電子黒板に表示される表示内容を編集しやすくなる。
【発明を実施するための最良の形態】
【０００９】
［構造］
本発明の実施の一形態を図１ないし図１４に基づいて説明する。
【００１０】
図１は、本実施の形態の電子黒板１００の外観斜視図である。本実施の形態の電子黒板１００の外観について、図１に基づいて説明する。
【００１１】
本実施の形態の電子黒板１００は、表示部１と、スイッチＳ（図２参照）と、インターフェイス８と、検出部１１とを備える。
【００１２】
表示部１は、情報を表示する二次元構成の情報面２を備える、電子ペーパ、有機ＥＬパネルなどの表示装置である。情報面２には、透明な素材でできた保護シートが貼りつけられており、情報面２に物体が接触して表面が傷つかないようになっている。表示部１は、情報面２を電子黒板１００の正面に露出させて、電子黒板１００の全体を支持している一対のスタンド３によって支持されている長方形のフレーム４の中に収納されている。フレーム４は、その前面が、情報面２よりも正面側に位置づけられるように厚みを持たせて形成されている。フレーム４の右辺の下方には、操作パネル５が正面を向けて埋設されている。フレーム４の下辺には、ペンＰを載置可能な形状に正面に突出した下側棚部６が、電子黒板１００の横幅一杯に形成されている。フレーム４の右下には、プリンタ１０が設けられている。プリンタ１０は、下側棚部６と右側のスタンド３とに接続されるプリンタ支持部材３ａによって水平に支持されている。
【００１３】
スイッチＳは、操作パネル５の一部を構成しており、電子黒板１００の正面側に向けて配置されている。スイッチＳは、電子黒板１００の使用者が画像記憶領域Ｖのモードの切り替え操作や編集モードの切り替え操作などの操作情報を入力するための入力部としての役割を果たす。スイッチＳの詳細は、図２に基づいて後述する。
【００１４】
インターフェイス８は、下側棚部６の右端で操作パネル５の下方に設けられているコーナ部材９の正面側に設けられている。コーナ部材９の正面には、電子黒板１００のオンオフ操作を行うための電源スイッチ７も設けられている。インターフェイス８は、パソコンなどの画像データを記憶する外部機器ＰＣを接続可能なコネクタを備え、電子黒板１００と外部機器ＰＣとをデータ通信自在に接続する。このようなコネクタは、例えばＵＳＢコネクタである。
【００１５】
検出部１１は、指示物体であるペンＰの先端が指示した情報面２の指示点Ｏを検出する。より詳細には、検出部１１は、フレーム４の左上角部４Ｌに配置される検出装置１２Ｌと、フレーム４の右上角部４Ｒに配置される検出装置１２Ｒとにより構成される。検出装置１２Ｌ、１２Ｒは物体を光学的に検知する光センサと、光センサが光を発射する角度を検出して出力する角度検出機構から構成される。光センサは光の発射口と、受光口と、ポリゴンミラーとを備え、光の発射口から赤外線などの光を扇型形状に、情報面２がなす平面と平行に情報面２に向けて発射し、情報面２に一致した情報入力領域Ｆを指示した指示物体であるペンＰの先端に当たって反射した反射光を受光口で検出することで、ペンＰの存在を検知する。この情報入力領域Ｆは情報面２と一致する二次元の領域であり、情報面２の左上に位置する検出装置１２Ｌの光の発射口を原点（０，０）とし、右方向をＸ軸の正方向、下方向をＹ軸の正方向とする座標系を備える。光センサが、情報入力領域Ｆの領域内の指示点Ｏを指示しているペンＰの先端にあたって反射する。光センサがペンＰの先端に当たって反射した反射光を検出すると、角度検出機構は角θＬおよび角θＲを出力する。ここで、角θＬは、検出装置１２ＬおよびペンＰの先端を結ぶ直線ＬＬと、検出装置１２Ｌ、１２Ｒを結ぶ直線ＬＨとの二直線がなす角度である。また、角θＲは、検出装置１２ＲおよびペンＰの先端を結ぶ直線ＬＲと、直線ＬＨとの二直線がなす角度である。角度検出機構から出力された角度θＬ、θＲは、情報処理を実行する情報処理部１０１（図４参照）に入力される。
【００１６】
図２は、操作パネル５の正面図である。操作パネル５について、図２に基づいて説明する。
【００１７】
操作パネル５は、フレーム４の右辺の形状に合わせて、縦長の矩形形状に形成されている。操作パネル５には、上方から下方に向かって順に、第１レイヤスイッチＳ１、第２レイヤスイッチＳ２、編集モード切替スイッチＳＥ、読込ボタン１６、プリントボタン１７が配置されている。
【００１８】
第１レイヤスイッチＳ１は第１の画像記憶領域Ｖ１（図４参照）に、第２レイヤスイッチＳ２は第２の画像記憶領域Ｖ２（図４参照）にそれぞれ対応している。第１レイヤスイッチＳ１および第２レイヤスイッチＳ２は、対応する画像記憶領域Ｖ（図４参照）に対し、情報処理部１０１が行う画像データの書込処理を許可する許可モードと、書込処理を禁止する禁止モードとを交互に切り替えていずれかのモードを選択的に設定する、ボタン式の操作スイッチである。電子黒板１００の情報処理部１０１は、第１レイヤスイッチＳ１や第２レイヤスイッチＳ２が押下されるたびに出力される電気信号を受けて、画像記憶領域Ｖごとのモードを切り替える。
【００１９】
編集モード切替スイッチＳＥは、編集モードのオンオフを交互に切り替えていずれかのモードを選択的に設定する、ボタン式の操作スイッチである。電子黒板１００の情報処理部１０１は、編集モード切替スイッチＳＥが押下されるたびに出力される電気信号を受けて、編集モードのオンオフを切り替える。
【００２０】
第１レイヤスイッチＳ１、第２レイヤスイッチＳ２および編集モード切替スイッチＳＥの右側には、これらのスイッチＳ（Ｓ１、Ｓ２、ＳＥ）に対応付けてＬＥＤランプＭ１、Ｍ２、ＭＥが配置されている。ＬＥＤランプＭ（Ｍ１、Ｍ２、ＭＥ）は、スイッチＳが押されることにより情報処理部１０１によって切り替えられるモードを示す。より詳細には、ＬＥＤランプＭ１は、第１の画像記憶領域Ｖ１が許可モードに設定されている場合に点灯し、第１の画像記憶領域Ｖ１が禁止モードに設定されている場合には消灯している。ＬＥＤランプＭ１は、第１の画像記憶領域Ｖ１が許可モードに設定されている場合に点灯し、第１の画像記憶領域Ｖ１が禁止モードに設定されている場合には消灯している。また、ＬＥＤランプＭ２は、第２の画像記憶領域Ｖ２が許可モードに設定されている場合に点灯し、第２の画像記憶領域Ｖ２が禁止モードに設定されている場合には消灯している。また、ＬＥＤランプＭＥは、編集モードがオンに設定されている場合に点灯し、編集モードがオフに設定されている場合には消灯している。電子黒板１００の情報処理部１０１は、第１の画像記憶領域Ｖ１が許可モードに設定されている場合、ＬＥＤランプ制御部１１３（図４参照）を制御してＬＥＤランプＭ１を点灯させ、第１の画像記憶領域Ｖ１が禁止モードに設定されている場合、ＬＥＤランプ制御部１１３を制御してＬＥＤランプＭ１を消灯させる。同様に、情報処理部１０１は、第２の画像記憶領域Ｖ２が許可モードに設定されている場合、ＬＥＤランプ制御部１１３を制御してＬＥＤランプＭ２を点灯させ、第２の画像記憶領域Ｖ２が禁止モードに設定されている場合、ＬＥＤランプ制御部１１３を制御してＬＥＤランプＭ２を消灯させる。また、情報処理部１０１は、編集モードがオンに設定されている場合、ＬＥＤランプ制御部１１３を制御してＬＥＤランプＭＥを点灯させ、編集モードがオフに設定されている場合、ＬＥＤランプ制御部１１３を消灯させる。
【００２１】
読込ボタン１６は、インターフェイス８に接続された外部機器ＰＣから、画像データを読み込むための操作ボタンである。電子黒板１００の情報処理部１０１は、読込ボタン１６が押下されると、外部機器ＰＣに記憶されている画像データを第１の画像記憶領域Ｖ１に読み込む処理を実行する。
【００２２】
プリントボタン１７は、プリンタ１０を駆動して表示部１の表示内容を紙媒体に出力するための操作ボタンである。電子黒板１００の情報処理部１０１は、プリントボタン１７が押下されると、インターフェイス８に接続された外部機器ＰＣからインターフェイス８を介して、第１の画像記憶領域Ｖ１に記憶されている画像データと第２の画像記憶領域Ｖ２に記憶されている画像データとを重層させて合成した合成画像データを生成し、プリンタ１０を駆動して紙媒体に合成画像データを印刷させる処理を実行する。
【００２３】
図３は、電子黒板１００で行われる処理を実現するスキームを示す模式図である。
【００２４】
電子黒板１００の使用者は、電子黒板１００で実行される各種処理によって、図３に示すように、情報面２に画像データを表示したり、画像データを操作したりすることが可能になる。
【００２５】
電子黒板１００の使用者は、第１レイヤスイッチＳ１を押下して、第１の画像記憶領域Ｖ１を許可モードと禁止モードとのいずれか一のモードに設定することができる。
【００２６】
同様に、電子黒板１００の使用者は、第１レイヤスイッチＳ１を押下して、第１の画像記憶領域Ｖ１を許可モードと禁止モードとのいずれか一のモードに設定することができる。
【００２７】
また、電子黒板１００の使用者は、編集モード切替スイッチＳＥを押下して、編集モードのオンオフを設定することができる。
【００２８】
編集モードがオフになっている場合に電子黒板１００の使用者がペンＰの先端で情報面２に書き込みを行うと、電子黒板１００では書込処理が実行されて、情報面２には使用者がペンＰを用いて書き込んだ内容が表示される。電子黒板１００に書き込まれた内容は、許可モードに設定されている画像記憶領域Ｖにのみ反映される。
【００２９】
一方、編集モードがオンになっている場合に電子黒板１００の使用者がペンＰの先端で情報面２を指示すると、電子黒板１００では編集処理が実行され、使用者は情報面２に表示された表示内容を編集することが可能になる。
【００３０】
より詳細には、まず使用者は、情報面２の異なる２点を指示することによって、対象範囲Ｑを指定する。対象範囲Ｑとは、情報面２に表示されている表示内容のうち使用者が行う移動や拡大／縮小などの各種操作の対象になる画像の範囲である。対象範囲Ｑは、使用者が指示した２点のそれぞれの座標から水平および垂直に線をそれぞれが交差するまで伸ばして囲われる矩形領域である。使用者が対象範囲Ｑを指定すると、情報面２には対象範囲Ｑの境界線が点線で表示され、対象範囲Ｑの四隅のそれぞれには四角いマーカーＲが表示される。
【００３１】
対象範囲Ｑが指定された状態で、使用者が対象範囲Ｑの範囲内の点を指定すると、電子黒板１００では、この使用者が指定した点を始点として情報面２に表示されている対象範囲Ｑ内の画像を別の場所に移動させる移動処理が実行される。使用者が、終点として始点とは異なる情報面２上の点を指示すると、電子黒板１００は、対象範囲Ｑ内の画像を始点から終点に向かうベクトルに従って、対象範囲Ｑとともに対象範囲Ｑ内の画像を移動させる。
【００３２】
また、対象範囲Ｑが指定された状態で、使用者がいずれか一のマーカーＲを第１の点として指定すると、電子黒板１００では、情報面２に表示されている対象範囲Ｑ内の画像を拡大／縮小させる拡大／縮小処理が実行される。使用者が、第２の点として第１の点とは異なる情報面２上の点を指示すると、電子黒板１００は、基準点から第１の点に向かうベクトルの成分と、基準点から第２の点に向かうベクトルの成分とを比較して拡大率を求め、基準点を拡大／縮小変換の変換中心とし、求められた成分ごとの拡大率に従って、対象範囲Ｑとともに対象範囲Ｑ内の画像を拡大／縮小させる。
【００３３】
これらの移動、拡大／縮小などの編集結果は、許可モードに設定されている画像記憶領域Ｖにのみ反映される。
【００３４】
なお、対象範囲Ｑが指定された状態で、使用者が対象範囲Ｑの範囲外の点を指定すると、電子黒板１００では、対象範囲Ｑの設定が解除される。
【００３５】
以上に述べたような処理を実現する電子黒板１００のハードウェア構成について、以下に説明する。
［ハードウェア構成］
図４は、電子黒板１００のハードウェア構成を示すブロック図である。電子黒板１００のハードウェア構成について、図４に基づいて説明する。
【００３６】
電子黒板１００は、情報処理部１０１を備える図示しない基盤を、フレーム４の内部で操作パネル５の裏側に備えている。情報処理部１０１は、各種演算処理を実行するＣＰＵ１０２と、ＢＩＯＳ等の固定データを固定的に記憶するＲＯＭ１０３と、画像データなどの各種可変データを書き替え自在に記憶したりワークエリアとして使用されたりするメモリであるＲＡＭ１０４とを備えて構成されている。ＲＡＭ１０４上には、ＣＰＵ１０２がアドレスマッピングを実行して確保された、画像データを記憶可能な第１の画像記憶領域Ｖ１および第２の画像記憶領域Ｖ２が設けられている。なお、これらの画像記憶領域Ｖ（Ｖ１、Ｖ２）は、ＣＰＵ１０２がアドレス指定を行うことによって確保する以外にも、予め定めされたＲＡＭ１０４上のアドレスに設定されていてもよい。また、図示しない基盤上に情報処理部１０１とデータ通信自在にＶＲＡＭを増設し、この増設したＶＲＡＭを画像記憶領域として使用するようにしてもよい。
【００３７】
情報処理部１０１は、インターフェイス８と、表示部制御部１１０と、検出部制御部１１１と、操作パネル制御部１１２と、ＬＥＤランプ制御部１１３と、プリンタ制御部１１４とに、バスラインＢＬを介してデータ通信自在に接続されている。表示部制御部１１０は、表示部１の情報面２への表示内容を制御する。検出部制御部１１１は、検出装置１２Ｌ、１２Ｒを備える検出部１１からのデータ入力を制御する。操作パネル制御部１１２は、操作パネル５に備わる第１レイヤスイッチＳ１、第２レイヤスイッチＳ２、編集モード切替スイッチＳＥ、読込ボタン１６、プリントボタン１７から入力される電気信号を制御する。ＬＥＤランプ制御部１１３は、ＬＥＤランプＭ１、Ｍ２、ＭＥを点灯もしくは消灯させる制御を行う。プリンタ制御部１１４は、プリンタ１０を制御する。
【００３８】
以上に述べたようなハードウェア構成を備える電子黒板１００において、情報処理部１０１が実行する座標取得処理、書込処理、編集処理について、以下に説明する。
［座標取得処理］
図５は、情報処理部１０１が実行する座標取得処理の流れを示すフローチャートである。以下、図５に示すフローチャートに従って説明する。
【００３９】
情報処理部１０１は、電子黒板１００が起動している間、座標取得処理（ＳＴ１００）を実行している。座標取得処理とは、情報処理部１０１が検出部１１から入力された情報に基づいて、ペンＰの先端が指示している指示点Ｏの座標を算出する処理である。
【００４０】
情報処理部１０１は、検出部１１からのデータ入力を待機している（ＳＴ１０１）。検出部１１が検出装置１２Ｌ、１２Ｒが指示点Ｏを指示しているペンＰの先端を検出して出力した角度θＬ、θＲ（図１参照）が情報処理部１０１に入力されると（ＳＴ１０１のＹ）、情報処理部１０１は、指示点Ｏの座標（Ｘ，Ｙ）を算出する（ＳＴ１０２）。指示点Ｏの座標（Ｘ，Ｙ）は、検出部１１から入力された角度θＬ、θＲの値、およびに直線ＬＨ（図１参照）の長さを基に、三角測量の原理によって算出される。
【００４１】
続く処理として、情報処理部１０１は、算出した指示点Ｏの座標（Ｘ，Ｙ）を座標情報としてＲＡＭ１０４に記憶し（ＳＴ１０２ａ）、座標取得処理を終了する。
【００４２】
座標取得処理に続く処理として、情報処理部１０１は、編集モード切替スイッチＳＥでの設定によって編集モードがオフになっている場合（ＳＴ１０３のＮ）、図６に基づいて後述する書込処理を実行する。書込処理とは、情報処理部１０１が、データ書き込みが許可されている許可モードに設定されている画像記憶領域Ｖに対して、座標情報に基づいて画像データを書き込む処理である。
【００４３】
一方、情報処理部１０１は、編集モード切替スイッチＳＥでの設定によって編集モードがオンになっている場合（ＳＴ１０３のＹ）、図７に基づいて後述する編集処理を実行する。編集処理とは、情報処理部１０１が、許可に設定されている画像記憶領域Ｖに対して、座標情報に基づいて画像データを編集加工する処理である。
［書込処理］
図６は、情報処理部１０１が実行する書込処理の流れを示すフローチャートである。以下、図６に示すフローチャートに従って説明する。
【００４４】
情報処理部１０１は、書込処理を開始すると、スイッチＳによる設定によってデータ書き込みが許可されている画像記憶領域Ｖを特定する（ＳＴ２０１）。より詳細には、情報処理部１０１は、第１レイヤスイッチＳ１によって指定された第１の画像記憶領域Ｖ１のモードと、第２レイヤスイッチＳ２によって指定された第２の画像記憶領域Ｖ２のモードとを確認する。
【００４５】
続く処理として、情報処理部１０１は、許可モードに設定されている画像記憶領域Ｖに対して、ＲＡＭ１０４に記憶されている座標情報に基づいて、データの書き込みを行う（ＳＴ２０２）。
【００４６】
続く処理として、情報処理部１０１は、第１の画像記憶領域Ｖ１に記憶されている画像データに、第２の画像記憶領域Ｖ２に記憶されている画像データを合成して情報面２に出力し（ＳＴ２０３）、書込処理を終了する。
［編集処理］
図７は、情報処理部１０１が実行する編集処理の流れを示すフローチャートである。以下、図７に示すフローチャートに従って説明する。
【００４７】
情報処理部１０１は、編集処理を開始すると、ＲＡＭ１０４に記憶されている座標情報を第１の座標情報として設定する（ＳＴ３０１）。以下、第１の座標情報が示す情報入力領域Ｆでの座標を（Ｘ１，Ｙ１）と表記する。
【００４８】
続く処理として、情報処理部１０１は、すでに編集処理で処理を行う画像データの処理対象である対象範囲Ｑ（図８参照）が設定されているかどうかを判定する（ＳＴ３０２）。
【００４９】
対象範囲Ｑが設定されていない場合（ＳＴ３０２のＮ）、情報処理部１０１は、図５に基づいて前述した座標取得処理（ＳＴ１００）を実行し、今回取得した座標情報を第２の座標情報として設定し（ＳＴ３０３）、第１の座標情報と第２の座標情報とに基づいて対象範囲Ｑを設定し（ＳＴ３０４）、編集処理途中の作業状況を電子黒板１００を使用している使用者に視認させるために、その対象範囲Ｑの指定状況を表示部１の情報面２に一時的に表示して（ＳＴ３０５）、編集処理を終了する。以下、第２の座標情報が示す情報入力領域Ｆでの座標を（Ｘ２，Ｙ２）とする。
【００５０】
図８は、情報処理部１０１が設定した対象範囲Ｑの指定状況が表示された表示部１の正面図である。
【００５１】
情報処理部１０１は、ＳＴ３０４で行う処理によって、情報入力領域Ｆの一部領域である（Ｘ１，Ｙ１）と（Ｘ２，Ｙ２）とを結ぶ線分を対角線としＸ軸およびＹ軸に平行な辺を備える矩形領域を、編集処理で処理を行う画像データの対象範囲Ｑとして設定する。情報処理部１０１は、図８に示すように、すでに情報面２に表示されている表示内容に重層させて、矩形形状の対象範囲Ｑを囲っている四辺をなぞって点線で情報面２に表示する。さらに情報処理部１０１は、図８に示すように、対象範囲Ｑの四隅に、四角形状のマーカーＲ（Ｒ１〜Ｒ４）を重層させて情報面２に表示する。
【００５２】
図７に示すフローチャートの説明に戻る。
【００５３】
情報処理部１０１がＳＴ３０２に示す判定の結果対象範囲Ｑがすでに設定されている場合（ＳＴ３０２のＹ）、情報処理部１０１は、第１の座標情報が示す座標（Ｘ１，Ｙ１）と対象範囲Ｑとの位置関係を判断する（ＳＴ３１０、ＳＴ３１２）。第１の座標情報が示す座標（Ｘ１，Ｙ１）が図８に示したマーカーＲのいずれかと一致する場合（ＳＴ３１０のＹ）、情報処理部１０１は、図１１に基づいて後述する拡大／縮小処理を実行し（ＳＴ３１１）、編集処理途中の作業状況を電子黒板１００の使用者に視認させるために、拡大／縮小処理の結果を表示部１の情報面２に一時的に表示して（ＳＴ３０５）、編集処理を終了する。
【００５４】
これに対し、第１の座標情報が示す座標（Ｘ１，Ｙ１）が図８に示した対象範囲Ｑの範囲内である場合（ＳＴ３１０のＮ、３１２のＹ）、情報処理部１０１は、図１１に基づいて後述する移動処理を実行し（ＳＴ３１３）、編集処理途中の作業状況を電子黒板１００の使用者に視認させるために、移動処理の結果を表示部１の情報面２に表示して（ＳＴ３０５）、編集処理を終了する。
【００５５】
これに対し、第１の座標情報が示す座標（Ｘ１，Ｙ１）が図８に示した対象範囲Ｑの範囲外である場合（ＳＴ３１０のＮ、３１２のＮ）、情報処理部１０１は、対象範囲Ｑの設定を解除し（ＳＴ３１４）、移動処理（ＳＴ３１３）や拡大処理（ＳＴ３１１）で行った処理結果を画像データの書き込みが許可されている許可モードに設定されている画像記憶領域Ｖに書き込んだ後に（ＳＴ３１５）、第１の画像記憶領域Ｖ１に記憶されている画像データに、第２の画像記憶領域Ｖ２に記憶されている画像データを合成して情報面２に出力し（ＳＴ３１６）、編集処理を終了する。
【００５６】
図９は、情報処理部１０１が実行する移動処理の流れを示すフローチャートである。以下、図９に示すフローチャートに従って説明する。
【００５７】
情報処理部１０１は、移動処理（ＳＴ３１３）を開始すると、まず、図５に基づいて前述した座標取得処理（ＳＴ１００）を実行し、今回取得した座標情報を第２の座標情報として設定する（ＳＴ４００）。続く処理として、情報処理部１０１は、第１の座標情報と第２の座標情報とを用いて対象範囲Ｑ内の画像を移動させる移動量を示す移動ベクトルＵ（図１０参照）を算出し（ＳＴ４０１）、許可モードに設定されている画像記憶領域Ｖごとに、対象範囲Ｑとともに対象範囲Ｑ内の画像データを移動ベクトルＵだけ移動させて（ＳＴ４０２）、移動処理を終了する。
【００５８】
図１０は、情報処理部１０１が実行する移動処理によって、画像記憶領域Ｖに記憶される画像データが編集加工される様子を示す説明図である。
【００５９】
情報処理部１０１は、ＳＴ４０１の処理を実行して、ベクトル量（Ｘ２−Ｘ１，Ｙ２−Ｙ１）を算出し、この演算結果を移動ベクトルＵとする。そして、情報処理部１０１は、ＳＴ４０２の処理を実行して、図１０に示すように、対象範囲Ｑとともに対象範囲Ｑ内の画像データを移動させる。このとき、情報処理部１０１は、許可モードに設定されている画像記憶領域Ｖについて画像記憶領域Ｖごとに対象範囲Ｑ内の画像データを移動させ、データの書き込みが禁止されている禁止モードに設定されている画像記憶領域Ｖに記憶されている画像データは、ＳＴ４０２で行われる処理において移動処理の対象とはしない。そのため、禁止モードに設定されている画像記憶領域Ｖに記憶されている画像データは、移動処理によって変更されない。
【００６０】
図１１は、情報処理部１０１が実行する拡大／縮小処理の流れを示すフローチャートである。以下、図１１に示すフローチャートに従って説明する。
【００６１】
情報処理部１０１は、拡大／縮小処理（ＳＴ３１１）を開始すると、まず、図５に基づいて前述した座標取得処理（ＳＴ１００）を実行し、今回取得した座標情報を第２の座標情報として設定する（ＳＴ５００）。続く処理として、情報処理部１０１は、第１の座標情報と第２の座標情報とを用いて、対象範囲Ｑ内の画像を拡大／縮小させる倍率を示す拡大率Ｋを算出し（ＳＴ５０１）、許可モードに設定されている画像記憶領域Ｖごとに、対象範囲Ｑとともに対象範囲Ｑ内の画像データを拡大率Ｋに従って拡大／縮小させ（ＳＴ５０２）、拡大／縮小処理を終了する。
【００６２】
図１２は、情報処理部１０１が実行する拡大／縮小処理によって、画像記憶領域Ｖに記憶される画像データが編集加工される様子を示す説明図である。
【００６３】
情報処理部１０１は、ＳＴ５０１の処理を実行して、第１の座標情報が示す座標（Ｘ１，Ｙ１）と一致するマーカーＲと対象範囲Ｑの対角に位置するマーカーＲを基準点Ｔと設定する。以下、基準点Ｔの座標を（Ｘ０，Ｙ０）とする。情報処理部１０１は、拡大率ＫをＸ軸方向およびＹ軸方向のそれぞれについて求める。より詳細には、Ｘ軸方向の拡大率ＫＸ＝（Ｘ２−Ｘ０）／（Ｘ１−Ｘ０）、Ｙ軸方向の拡大率ＫＹ＝（Ｙ２−Ｙ０）／（Ｙ１−Ｙ０）を算出する。そして、情報処理部１０１は、ＳＴ５０２の処理を実行して、図１２に示すように、対象範囲Ｑ内の画像データを、基準点Ｔを変形中心とし、Ｘ軸方向にＫＸ倍し、Ｙ軸方向にＫＹ倍して、対象範囲Ｑとともに拡大／縮小させる。このとき、情報処理部１０１は、許可モードに設定されている画像記憶領域Ｖについて画像記憶領域Ｖごとに対象範囲Ｑ内の画像データを拡大／縮小させ、禁止モードに設定されている画像記憶領域Ｖに記憶されている画像データは、ＳＴ５０２で行われる処理において、移動処理と同様に、拡大／縮小処理の対象としない。そのため、禁止モードに設定されている画像記憶領域Ｖに記憶されている画像データは、拡大／縮小処理によって変更されない。
【００６４】
なお、本実施の形態の情報処理部１０１が実行する拡大／縮小処理では、第１の座標情報が示す座標（Ｘ１，Ｙ１）と一致するマーカーＲと対象範囲Ｑの対角に位置するマーカーＲを基準点Ｔとしているが、別の実施の形態として、矩形領域である対象範囲Ｑの中心点を基準点Ｔに設定するようにしてもよいし、さらに別の実施の形態として、使用者に第１の座標情報および第２の座標情報とは異なる別の座標情報の入力を求めて、入力された点を基準点Ｔとして設定するようにしてもよい。
［作用］
以上のような構成の電子黒板１００において、第１レイヤスイッチＳ１が押下されるたびに、情報処理部１０１は、第１の画像記憶領域Ｖ１への画像データの書き込みを許可する許可モードと書き込みを禁止する禁止モードとを切り替え、この切り替え処理と同時に、ＬＥＤランプＭ１の点灯／消灯の切り替えを行う。同様に、情報処理部１０１は、第２レイヤスイッチＳ２が押下されるたびに、第２の画像記憶領域Ｖ２への画像データの書き込みを許可する許可モードと書き込みを禁止する禁止モードとを切り替え、この切り替え処理と同時に、ＬＥＤランプＭ２の点灯／消灯の切り替えを行う。また、情報処理部１０１は、編集モード切替スイッチＳＥが押下されるたびに、編集モードとのオンオフを切り替え、この切り替え処理と同時に、ＬＥＤランプＭＥの点灯／消灯の切り替えを行う。
【００６５】
また、画像データを記憶している外部機器ＰＣがインターフェイス８に接続された状態で読込ボタン１６が押下されると、第１の画像記憶領域Ｖ１には、外部機器ＰＣに記憶されている画像データが読み込まれる。
【００６６】
編集モードがオフに設定されている際に、情報面２に文字や絵を描くようにペンＰの先端が当てられると、検出部１１はペンＰの先端を検出してペンＰの先端を検出する。情報処理部１０１は、検出部１１が検出したペンＰの先端の位置から、ペンＰの先端が指示する指示点Ｏの座標を算出する。そして、情報処理部１０１が実行する書込処理によって、許可モードに設定されている画像記憶領域Ｖに対して、指示点Ｏの座標に対応した画像データが書き込まれる。情報面２からペンＰによって書き込まれた描画内容は、許可モードに設定された画像記憶領域Ｖに画像データとして書き込まれる。情報処理部１０１は、第１の画像記憶領域Ｖ１および第２の画像記憶領域Ｖ２のそれぞれに記憶されている使用者が描いた描画内容が反映された画像データを合成して、情報面２に表示させる。
【００６７】
図１３は、スイッチＳでの許可モード／禁止モードの設定の組み合わせによる情報処理部１０１が実行する書込処理の結果の相違を示す説明図である。
【００６８】
電子黒板１００を使用する使用者がペンＰを用いて情報面２から書き込みを行う前、第１の画像記憶領域Ｖ１には、表の罫線を表す画像データを記憶する外部機器ＰＣから読み込まれた画像データが記憶され、第２の画像記憶領域Ｖ２には画像データは記憶されていないとする。
【００６９】
ここで、使用者がペンＰを用いて情報面２から丸の図形を描くことを想定する。
【００７０】
使用者がスイッチＳによって第１の画像記憶領域Ｖ１および第２の画像記憶領域Ｖ２を許可モードに設定した場合（ｃａｓｅ＃１）、第１の画像記憶領域Ｖ１および第２の画像記憶領域Ｖ２の両方に、使用者が描いた丸の図形の画像データが書き込まれる。その結果、情報面２には、表の罫線に丸が上書きされた画像データが表示される。
【００７１】
これに対し、使用者がスイッチＳによって第１の画像記憶領域Ｖ１を許可モードに、第２の画像記憶領域Ｖ２を禁止モードにそれぞれ設定した場合（ｃａｓｅ＃２）、第１の画像記憶領域Ｖ１のみに使用者が描いた丸の図形の画像データが書き込まれる。その結果、ｃａｓｅ＃１と同様に、情報面２には、表の罫線に丸が上書きされた画像データが表示される。
【００７２】
これに対し、使用者が第１の画像記憶領域Ｖ１を禁止モードに、第２の画像記憶領域Ｖ２を許可モードにそれぞれ設定した場合（ｃａｓｅ＃３）、第２の画像記憶領域Ｖ２のみに使用者が描いた丸の図形データが書き込まれる。この場合も、ｃａｓｅ＃１と同様に、情報面２には表の罫線に丸が上書きされた画像データが表示される。しかし、ｃａｓｅ＃３では、使用者がペンＰを用いて情報面２に書込みを行っても第１の画像記憶領域Ｖ１に記憶されている画像データには書き込みが反映されず、外部機器ＰＣに記憶されている画像データの状態のままである。そのため、使用者は、外部機器ＰＣに記憶されている画像データの内容を替えることなく、情報面２に行った書き込みを修正することが可能になる。
【００７３】
これに対し、第１の画像記憶領域Ｖ１および第２の画像記憶領域Ｖ２の両方を禁止モードに設定した場合（ｃａｓｅ＃４）、使用者がペンＰを用いて情報面２に行った書き込みは第１の画像記憶領域Ｖ１および第２の画像記憶領域Ｖ２に記憶されている画像データには反映されない。
【００７４】
編集モードがオンに設定されている際に、情報面２にペンＰの先端が当てられると、情報処理部１０１は、検出部１１が検出したペンＰの先端の位置が指示する指示点Ｏの座標を算出する。そして、情報処理部１０１が実行する編集処理によって、許可モードに設定されている画像記憶領域Ｖに対して、指示点Ｏの座標に対応した画像データの編集加工操作を行うことができる。情報面２からペンＰによって行われた編集加工操作の作業状況は、情報面２に表示させる。
【００７５】
図１４は、スイッチＳでの許可モード／禁止モードの設定の組み合わせによる情報処理部１０１が実行する編集処理の結果の相違を示す説明図である。ここでは、特に、電子黒板１００の使用者が指定した対象範囲Ｑ内の表示内容を移動させる操作を行った際に行われる移動処理について説明する。
【００７６】
電子黒板１００の使用者が、ペンＰを用いて情報面２の表示内容を編集加工する前、第１の画像記憶領域Ｖ１には外部機器ＰＣから読み込まれた３行２列の表の罫線を表した画像データが、第２の画像記憶領域Ｖ２には、表の右側の列に備える各行に対応する位置に、上から順に「あめんぼ」、「あかいな」、「あいうえお」の文字列を表した画像データが、それぞれ記憶されているとする。
【００７７】
ここで、使用者がペンＰを用いて情報面２に表示されている表の右側の列を囲うように対象範囲Ｑを設定し、使用者がペンＰの先端でこの対象範囲Ｑの一点を指示した後に対象範囲Ｑよりも左側の対象範囲Ｑの外側の一点を指示して、表の左側の列に重ね合わせるように対象範囲Ｑを移動させることを想定する。
【００７８】
使用者がスイッチＳによって第１の画像記憶領域Ｖ１および第２の画像記憶領域Ｖ２の両方を許可モードに設定した場合（ｃａｓｅ＃１）、対象範囲Ｑの移動とともに対象範囲Ｑ内の第１の画像記憶領域Ｖ１および第２の画像記憶領域Ｖ２の画像データが移動される。その結果、情報面２には、表の左側の列を構成する罫線に、表の右側の列を構成していた表の罫線と、表の右側の列の各行に表示されていた「あめんぼ」、「あかいな」および「あいうえお」の文字列とが重層されて表示される。
【００７９】
これに対し、使用者がスイッチＳによって第１の画像記憶領域Ｖ１を許可モードに、第２の画像記憶領域Ｖ２を禁止モードにそれぞれ設定した場合（ｃａｓｅ＃２）、対象範囲Ｑの移動とともに対象範囲Ｑ内の第１の画像記憶領域Ｖ１の画像データが移動される。その結果、情報面２には、「あめんぼ」、「あかいな」および「あいうえお」の文字列は移動操作の前の状態と同じ位置に配置され、表の左側の列を構成する罫線に表の右側の列を構成していた罫線が重層されて表示される。
【００８０】
これに対し、使用者が第１の画像記憶領域Ｖ１を禁止モードに、第２の画像記憶領域Ｖ２を許可モードにそれぞれ設定した場合（ｃａｓｅ＃３）、対象範囲Ｑの移動とともに対象範囲Ｑ内の第２の画像記憶領域Ｖ２の画像データが移動される。その結果、情報面２には、表の形状は移動操作の前の状態と同じままで、表の左側の列の各行に対応して「あめんぼ」、「あかいな」および「あいうえお」の文字列が格納されて表示される。
【００８１】
これに対し、第１の画像記憶領域Ｖ１および第２の画像記憶領域Ｖ２の両方を禁止モードに設定した場合（ｃａｓｅ＃４）、対象範囲Ｑの移動は行われるが、第１の画像記憶領域Ｖ１および第２の画像記憶領域Ｖ２に記憶されている画像データには移動操作の操作結果は反映されない。
【００８２】
また、図１４に示す移動前の状態の第１の画像記憶領域Ｖ１および第２の画像記憶領域Ｖ２において、上述したように使用者がペンＰを用いて情報面２に表示されている表の右側の列を囲うように対象範囲Ｑを設定した上で、使用者がペンＰの先端で対象範囲Ｑの四隅に位置づけられている４つのマーカーＲのいずれか一点を指示した後に別の一点を指示して、対象範囲Ｑ内の表示内容を拡大／縮小させる場合にも、図１４に基づいて説明したように、使用者がスイッチＳによって設定する画像記憶領域Ｖごとの許可モード／禁止モードの組み合わせによって、第１の画像記憶領域Ｖ１と第２の画像記憶領域Ｖ２とについて独立に編集加工結果が反映される。
【００８３】
上記に述べたような移動処理および拡大／縮小処理では、２つの座標情報によって実現される。使用者が情報面２上で対象範囲Ｑを設定してその対象範囲Ｑ内の表示内容を編集加工したい場合、使用者は情報面２で第１の座標情報となる点を指示した後にペンＰを情報面２から離して第２の座標情報となる別の点を指示してもよいし、第１の座標情報となる点を指示した後にペンＰを情報面２から離さず情報面２をペンＰでなぞってもよい。使用者が情報面２をペンＰでなぞった場合、情報処理部１０１は、座標情報を連続して算出し、移動処理や拡大／縮小処理を繰り返し実行する。そのため、電子黒板１００の使用者がペンＰの先端で情報面２をなぞって対象範囲Ｑ内の画像データを移動させると、情報面２ではペンＰの移動に伴って対象範囲Ｑおよび対象範囲Ｑ内の画像データも連続的に移動される。また、電子黒板１００の使用者がペンＰの先端で情報面２をなぞって対象範囲Ｑ内の画像データを拡大／縮小させると、情報面２ではペンＰの移動に伴って対象範囲Ｑおよび対象範囲Ｑ内の画像データも連続的に拡大／縮小される。
【００８４】
このように、本実施の形態の電子黒板１００によれば、入力部であるスイッチＳによって個々の画像記憶領域Ｖごとに画像データの書き込みを許可する許可モードまたは書き込みを禁止する禁止モードのいずれか一のモードが設定され、許可モードに設定されている画像記憶領域Ｖに画像データが書き込まれるため、電子黒板１００に表示される表示内容を編集しやすくなる。
【００８５】
また、本実施の形態の電子黒板１００では、複数層の画面のそれぞれに対応すべくＲＡＭ１０４上に第１の画像記憶領域Ｖ１および第２の画像記憶領域Ｖ２から構成される画像記憶領域Ｖが予め確保されており、スイッチＳによって許可モードに設定された画像記憶領域Ｖに層別に画像データが記憶され、これら層別に記憶された画像データが合成されて情報面２に表示されるものである。しかし、本発明の電子黒板１００は、本実施の形態に基づいて説明したように、画像データが個々に記憶される画像記憶領域が事前にメモリマッピングなどによってＲＡＭ１０４上に確保されている場合だけでなく、情報処理部１０１が書込処理を実行した際に初めてＲＡＭ１０４上でアドレス指定を行ってＲＡＭ１０４上に画像記憶領域を事後的に確保することも可能である。また、そもそもＲＡＭ１０４上で画像データを層別に記憶する画像記憶領域を確保せずに、使用者がスイッチＳによって書き込みを許可した層を識別する層ＩＤ情報と、使用者が書き込んだ画像データとを結びつけて、ＲＡＭ１０４に記憶することも可能である。
［別の実施の形態］
図１５は、別の実施の形態の電子黒板１００の外観斜視図である。
【００８６】
図１５に示す別の実施形態の電子黒板１００のように、操作パネル５を図１に示すようにハードウェアとして設けずに、情報処理部１０１が情報面２に表示する表示内容の一部として情報面２の右下側に第１レイヤスイッチＳ１、第２レイヤスイッチＳ２、編集モード切替スイッチＳＥ、読込ボタン１６およびプリントボタン１７に相当するアイコンを表示させ、前述した実施の形態の電子黒板１００で操作パネル５上の各種ボタンを押下することで情報処理部１０１が実行する各種処理を、使用者がペンＰの先端で情報面２上に表示されたアイコンを指示することによって情報処理部１０１が実行するようにしてもよい。つまり、本実施の形態では、検出部１１は、各種操作情報を情報処理部１０１に入力する入力部としての役割を兼ねる。
【００８７】
また、さらに別の実施の形態として、操作パネル５に、編集モード切替スイッチＳＥの下方に、押下によってコピーモードのオンオフを切り替えて設定するボタン式の操作スイッチを設けて、対象範囲Ｑを設定した後に、対象範囲Ｑ内の表示内容を移動させる移動処理を行う際に、情報処理部１０１に移動前の対象範囲Ｑ内に存在した画像データを消去せずに残し、移動先に移動元の画像を複写するコピー処理を実行させるようにしてもよい。
【図面の簡単な説明】
【００８８】
【図１】本実施の形態の電子黒板の外観斜視図である。
【図２】操作パネルの正面図である。
【図３】電子黒板で行われる処理を実現するスキームを示す模式図である。
【図４】電子黒板のハードウェア構成を示すブロック図である。
【図５】情報処理部が実行する座標取得処理の流れを示すフローチャートである。
【図６】情報処理部が実行する書込処理の流れを示すフローチャートである。
【図７】情報処理部が実行する編集処理の流れを示すフローチャートである。
【図８】情報処理部が設定した対象範囲の指定状況が表示された表示部の正面図である。
【図９】情報処理部が実行する移動処理の流れを示すフローチャートである。
【図１０】情報処理部が実行する移動処理によって、画像記憶領域に記憶される画像データが編集加工される様子を示す説明図である。
【図１１】情報処理部が実行する拡大／縮小処理の流れを示すフローチャートである。
【図１２】情報処理部が実行する拡大／縮小処理によって、画像記憶領域に記憶される画像データが編集加工される様子を示す説明図である。
【図１３】スイッチでの許可モード／禁止モードの設定の組み合わせによる情報処理部が実行する書込処理の結果の相違を示す説明図である。
【図１４】スイッチでの許可モード／禁止モードの設定の組み合わせによる情報処理部が実行する編集処理の結果の相違を示す説明図である。
【図１５】別の実施の形態の電子黒板の外観斜視図である。
【符号の説明】
【００８９】
１…表示部、２…情報面、８…インターフェイス、１１…検出部、１００…電子黒板、１０１…情報処理部、１０４…ＲＡＭ（メモリ）、Ｆ…情報入力領域、ＫＸ、ＫＹ…拡大率、Ｏ…指示点、Ｐ…ペン（指示物体）、ＰＣ…外部機器、Ｓ１…第１レイヤスイッチ（入力部）、Ｓ２…第２レイヤスイッチ（入力部）、Ｕ…移動ベクトル、Ｖ１…第１の画像記憶領域（層）、Ｖ２…第２の画像記憶領域（層）
【図１】
2008230128.tif 000003
【図２】
2008230128.tif 000004
【図３】
2008230128.tif 000005
【図４】
2008230128.tif 000006
【図５】
2008230128.tif 000007
【図６】
2008230128.tif 000008
【図７】
2008230128.tif 000009
【図８】
2008230128.tif 000010
【図９】
2008230128.tif 000011
【図１０】
2008230128.tif 000012
【図１１】
2008230128.tif 000013
【図１２】
2008230128.tif 000014
【図１３】
2008230128.tif 000015
【図１４】
2008230128.tif 000016
【図１５】
2008230128.tif 000017